(57)【要約】【課題】  電話相手と話題になったコンテンツをその場で交換できるコンテンツ共有システムを提供する。【解決手段】  携帯電話３０Ａが連携するコンテンツサーバ２１Ａとの間でコンテンツを共有すると共に、携帯電話３０Ｂと連携するコンテンツサーバ２１Ｂを有するデジタルコンテンツ共有システム１０であって、コンテンツサーバ２１Ｂは、携帯電話３０Ｂが携帯電話３０Ａとの通話の際に交換したコンテンツ参照情報を利用して該当するコンテンツ要求を受け付けた際に、前記コンテンツ要求に基づいてコンテンツサーバ２１Ｂから対応するコンテンツの提供を受けてコンテンツサーバ２１Ａとの間でコンテンツを共有する。コンテンツサーバ２１Ａは、共有するコンテンツをネットワーク上で公開する。【選択図】          図１
2008158843.tif 000002
【特許請求の範囲】
【請求項１】
第１の携帯端末が連携する第１の制御手段と第２の携帯端末が連携する第２の制御手段との間でコンテンツを共有するコンテンツ共有システムであって、
前記第２の制御手段は、前記第２の携帯端末が前記第１の携帯端末との通話の際に交換したコンテンツ参照情報を利用して該当するコンテンツ要求を受け付けた際に、前記コンテンツ要求に基づいて前記第１の制御手段から対応するコンテンツの提供を受けて前記第１の制御手段との間でコンテンツを共有することを特徴とするコンテンツ共有システム。
【請求項２】
第１の携帯端末が連携する第１の制御手段と第２の携帯端末が連携する第２の制御手段との間でコンテンツを共有するコンテンツ共有システムであって、
前記第２の携帯端末が前記第１の携帯端末との通話の際にコンテンツ参照情報を交換し、前記交換したコンテンツ参照情報に基づいて、前記第２の制御手段に対してコンテンツ要求を行い、
前記第２の制御手段が前記コンテンツ要求に基づいて前記第１の制御手段に対して前記コンテンツ要求に対応するコンテンツ取得依頼を行い、
前記第１の制御手段が前記コンテンツ取得要求に基づいて前記第２の制御手段に対して対応するコンテンツを提供することを特徴とするコンテンツ共有システム。
【請求項３】
前記コンテンツ共有システムは前記第１の携帯端末を含み、
前記第１の携帯端末は、前記第１の制御手段からコンテンツ一覧を受信して表示し、前記表示されたコンテンツ一覧から指定されたコンテンツに対する前記コンテンツ参照情報を前記第２の携帯端末に送信することを特徴とする請求項１又は請求項２に記載のコンテンツ共有システム。
【請求項４】
前記第１の制御手段は、前記第１の携帯端末を所有する所有者のコンテンツを記憶する記憶手段に記憶されたコンテンツを参照して前記コンテンツ一覧を前記第１の携帯端末に送信することを特徴とする請求項３に記載のコンテンツ共有システム。
【請求項５】
前記第２の制御手段は、前記第１の制御手段との間でコンテンツの共有処理を行う際にコンピュータ同士を直接接続してお互いの持つ情報をやり取りする通信形式によりネットワークを接続する請求項１から請求項４のいずれかに記載のコンテンツ共有システム。
【請求項６】
前記第１の制御手段は、前記共有するコンテンツをネットワーク上で公開することを特徴とする請求項１から請求項５のいずれかに記載のコンテンツ共有システム。
【請求項７】
前記第１の制御手段は、前記ネットワーク上に公開するコンテンツを暗号化およびパスワード認証の形式の一方で公開することを特徴とする請求項６に記載のコンテンツ共有システム。
【請求項８】
前記第１の制御手段は、前記第１の携帯端末と前記第２の携帯端末が通話の際に生成した情報によって前記公開するコンテンツを閲覧可能にする請求項７に記載のコンテンツ共有システム。
【請求項９】
前記第２の制御手段は、前記通話の際に生成された情報に対応する情報を前記第１の制御手段、前記第１の携帯端末および前記第２の携帯端末を介して取得して前記コンテンツを閲覧できるようにするときに用いる請求項８に記載のコンテンツ共有システム。
【請求項１０】
前記第１の制御手段は、ファイアウォールを越えて前記コンテンツを前記ネットワーク上に公開することを特徴とする請求項６から請求項９のいずれかに記載のコンテンツ共有システム。
【請求項１１】
第１の携帯端末が連携する第１の制御手段と第２の携帯端末が連携する第２の制御手段との間でコンテンツを共有するコンテンツ共有方法であって、
前記第２の携帯端末が前記第１の携帯端末との通話の際にコンテンツ参照情報を交換し、前記交換したコンテンツ参照情報に基づいて、前記第２の制御手段に対してコンテンツ要求を行うステップと、
前記第２の制御手段が前記コンテンツ要求に基づいて前記第１の制御手段に対して前記コンテンツ要求に対応するコンテンツ取得依頼を行うステップと、
前記第１の制御手段が前記コンテンツ取得要求に基づいて前記第２の制御手段に対して対応するコンテンツを提供するステップと、
を有することを特徴とするコンテンツ共有方法。
【請求項１２】
前記第１の携帯端末が前記第１の制御手段からコンテンツ一覧を受信して表示し、前記表示されたコンテンツ一覧から指定されたコンテンツに対する前記コンテンツ参照情報を前記第２の携帯端末に送信するステップをさらに有することを特徴とする請求項１１に記載のコンテンツ共有方法。
【請求項１３】
前記第１の制御手段が前記共有するコンテンツをネットワーク上で公開するステップをさらに有することを特徴とする請求項１１又は請求項１２に記載のコンテンツ共有方法。
【請求項１４】
前記公開するステップは、前記ネットワーク上に公開するコンテンツを暗号化およびパスワード認証の形式の一方で公開することを特徴とする請求項１３に記載のコンテンツ共有方法。
【請求項１５】
前記公開するステップは、前記第１の携帯端末と前記第２の携帯端末が通話の際に生成された情報によって前記公開するコンテンツを閲覧可能にする請求項１４に記載のコンテンツ共有方法。
【発明の詳細な説明】
【技術分野】
【０００１】
本発明は、コンテンツ共有システムおよびコンテンツ共有方法に関する。
【背景技術】
【０００２】
携帯電話の普及により、オフィス業務におけるワーカの移動性が高まっている。このため移動中や移動先で、通話の相手と文書交換が必要とされる機会が増えてきている。しかし、現在の携帯電話が備える記憶容量や通信回線の帯域幅は文書交換には十分ではなく、また、ラップトップＰＣ（パーソナルコンピュータ）等を利用した文書交換は、移動中に操作することが難しいという問題がある。
【０００３】
一方、カメラ付き携帯電話によって写真を撮影する、自宅のＨＤＤ−ＤＶＤにデジタルコンテンツを録画する、自宅のＰＣ上にネットワーク配信された音楽データをダウンロードするといった使い方が、近年、普及しはじめている。この一方で、デジタルコンテンツ提供側は、デジタルコンテンツの著作権や放映権が侵害されないようにしたいという要求がある。
【０００４】
また、コンテンツを共有する技術として以下のようなものが提案されている。特許文献１の装置は、家庭に置かれたテレビで視聴している際に、利用者がリモコン上から「マーク」ボタンを押してコンテンツのリストをサーバ上に登録しておき、視聴する際には、当該コンテンツを保存しているサーバからダウンロードして視聴するというものである。特許文献２の装置は、携帯電話を用いてデジタルコンテンツをネットワーク上からダウンロードする際に、利用者が携帯電話からコンテンツ配送管理サーバにコンテンツ提供依頼を発行すると、コンテンツ配送管理サーバは、コンテンツ保存サーバに依頼して、携帯電話の認証コードとコンテンツ配送管理サーバの認証コードを照合することにより、携帯電話利用者の所有するＰＣに対してコンテンツを送信するというものである。
【０００５】
また、特許文献３の装置は、携帯端末で通話中に、通話相手の音声を認識してキーワードを抽出し、そのキーワードをもとにインターネット上でＷｅｂページの検索を実行する。そして、入手した情報を通話相手にも送信し、情報共有を図ることを促進するというものである。特許文献４の装置は、携帯端末上でダウンロードしたコンテンツを、赤外線で家電機器に転送し、家電機器上で再生するというものである。
【特許文献１】ＷＯ０２／０１１４４８号公報
【特許文献２】特開２００２−２７９２０５号公報
【特許文献３】特開２００２−２９７６４５号公報
【特許文献４】特開２００４−１７７７５８６号公報
【発明の開示】
【発明が解決しようとする課題】
【０００６】
しかしながら、個人が蓄積した情報を利用者間で直接的に簡単に交換することができれば大変便利であるが、特許文献１の装置では、パブリックに提供されているコンテンツを個人的に携帯電話上で表示・閲覧することはできても、利用者間でコンテンツを直接的に交換することはできない。
【０００７】
また、特許文献２の装置は、携帯電話を用いてサーバ上にデジタルコンテンツをネットワーク上から自分のＰＣに配送することはできるが、特許文献１と同様に、利用者間でコンテンツを簡単に交換することはできない。特許文献３および４の装置は、携帯端末を用いているが、通話中に利用者間でコンテンツを共有することはできない。
【０００８】
そこで、本発明は、上記問題点に鑑みてなされたもので、電話相手と話題になったコンテンツをその場で交換できるコンテンツ共有システムおよびコンテンツ共有方法を提供することを目的とする。
【課題を解決するための手段】
【０００９】
上記課題を解決するために、本発明は、第１の携帯端末が連携する第１の制御手段と第２の携帯端末が連携する第２の制御手段との間でコンテンツを共有するコンテンツ共有システムであって、前記第２の制御手段は、前記第２の携帯端末が前記第１の携帯端末との通話の際に交換したコンテンツ参照情報を利用して該当するコンテンツ要求を受け付けた際に、前記コンテンツ要求に基づいて前記第１の制御手段から対応するコンテンツの提供を受けて前記第１の制御手段との間でコンテンツを共有する。本発明によれば、第１の携帯端末と第２の携帯端末との通話の際にコンテンツ参照情報を交換することにより、電話相手と話題になったデジタルコンテンツをその場で交換し共有することができる。
【００１０】
本発明は、第１の携帯端末が連携する第１の制御手段と第２の携帯端末が連携する第２の制御手段との間でコンテンツを共有するコンテンツ共有システムであって、前記第２の携帯端末が前記第１の携帯端末との通話の際にコンテンツ参照情報を交換し、前記交換したコンテンツ参照情報に基づいて、前記第２の制御手段に対してコンテンツ要求を行い、前記第２の制御手段が前記コンテンツ要求に基づいて前記第１の制御手段に対して前記コンテンツ要求に対応するコンテンツ取得依頼を行い、前記第１の制御手段が前記コンテンツ取得要求に基づいて前記第２の制御手段に対して対応するコンテンツを提供する。本発明によれば、第１の携帯端末と第２の携帯端末との通話の際にコンテンツ参照情報を交換することにより、電話相手と話題になったコンテンツをその場で交換し共有することができる。
【００１１】
本発明のコンテンツ共有システムは前記第１の携帯端末を含み、前記第１の携帯端末は、前記第１の制御手段からコンテンツ一覧を受信して表示し、前記表示されたコンテンツ一覧から指定されたコンテンツに対する前記コンテンツ参照情報を前記第２の携帯端末に送信する。これにより、利用者はコンテンツの一覧から共有したいコンテンツを簡単に指定することができる。
【００１２】
前記第１の制御手段は、前記第１の携帯端末を所有する所有者のコンテンツを記憶する記憶手段に記憶されたコンテンツを参照して前記コンテンツ一覧を前記第１の携帯端末に送信する。前記第２の制御手段は、前記第１の制御手段との間でコンテンツの共有処理を行う際にコンピュータ同士を直接接続してお互いの持つ情報をやり取りする通信形式によりネットワークを接続する。コンピュータ同士を直接接続してお互いの持つ情報をやり取りする通信形式には、例えばピア・ツー・ピア通信（Ｐ２Ｐ）がある。
【００１３】
例えば、前記第１の制御手段は、前記共有するコンテンツをネットワーク上で公開する。また、前記第１の制御手段は、前記ネットワーク上に公開するコンテンツを暗号化およびパスワード認証の形式の一方で公開する。これにより、第三者によってコンテンツが閲覧されることを防止できる。ここで、パスワードには通話の際に生成されるワンタイムパスワードのようなパスワードなどが含まれる。また、前記第１の制御手段は、前記第１の携帯端末と前記第２の携帯端末が通話の際に生成した情報（例えば暗号鍵、ワンタイムパスワードなど）によって前記公開するコンテンツを閲覧可能にする。
【００１４】
前記第２の制御手段は、前記通話の際に生成された情報（例えば暗号鍵）に対応する情報（例えば復号鍵）を前記第１の制御手段、前記第１の携帯端末および前記第２の携帯端末を介して取得して前記コンテンツを閲覧できるようにするときに用いる。前記第１の制御手段は、ファイアウォールを越えて前記コンテンツを前記ネットワーク上に公開する。これにより、ファイアウォール内部のコンテンツを共有することができる。
【００１５】
本発明のコンテンツ共有方法は、第１の携帯端末が連携する第１の制御手段と第２の携帯端末が連携する第２の制御手段との間でコンテンツを共有するコンテンツ共有方法であって、前記第２の携帯端末が前記第１の携帯端末との通話の際にコンテンツ参照情報を交換し、前記交換したコンテンツ参照情報に基づいて、前記第２の制御手段に対してコンテンツ要求を行うステップと、前記第２の制御手段が前記コンテンツ要求に基づいて前記第１の制御手段に対して前記コンテンツ要求に対応するコンテンツ取得依頼を行うステップと、前記第１の制御手段が前記コンテンツ取得要求に基づいて前記第２の制御手段に対して対応するコンテンツを提供するステップとを有する。本発明によれば、第１の携帯端末と第２の携帯端末との通話の際にコンテンツ参照情報を交換することにより、電話相手と話題になったコンテンツをその場で交換し共有することができる。
【００１６】
本発明のコンテンツ共有方法は、前記第１の携帯端末が前記第１の制御手段からコンテンツ一覧を受信して表示し、前記表示されたコンテンツ一覧から指定されたコンテンツに対する前記コンテンツ参照情報を前記第２の携帯端末に送信するステップをさらに有する。これにより、利用者はコンテンツの一覧から共有したいコンテンツを簡単に指定することができる。
【００１７】
本発明のコンテンツ共有方法は、前記第１の制御手段が前記共有するコンテンツをネットワーク上で公開するステップをさらに有する。前記公開するステップは、前記ネットワーク上に公開するコンテンツを暗号化およびパスワード認証の形式の一方で公開する。これにより、第三者によってコンテンツが閲覧されることを防止できる。前記公開するステップは、前記第１の携帯端末と前記第２の携帯端末が通話の際に生成された情報によって前記公開するコンテンツを閲覧可能にする。
【発明の効果】
【００１８】
本発明によれば、電話相手と話題になったコンテンツをその場で交換できるコンテンツ共有システムおよびコンテンツ共有方法を提供することができる。
【発明を実施するための最良の形態】
【００１９】
以下、本発明を実施するための最良の形態について説明する。図１は、本発明の実施形態に係るデジタルコンテンツ共有システムのハードウェア構成図である。デジタルコンテンツ共有システム１０は、利用者の自宅に置かれインターネットと接続されたホームコンテンツサーバシステム２０Ａ、２０Ｂ、利用者が携帯する携帯電話３０Ａ〜３０Ｄを有する。ホームコンテンツサーバシステム２０Ａ、２０Ｂは、インターネット４０及び公衆回線網４１を介して携帯電話３０Ａ〜３０Ｄに接続される。
【００２０】
ホームコンテンツサーバシステム２０Ａは、コンテンツサーバ２１Ａ、電話２２Ａ、コンテンツを表示するテレビ（表示装置）２３Ａ、ＶＡＮルータ（ファイアウォール）２４Ａを備え、これらはホームＬＡＮ２５Ａを介して接続されている。ホームコンテンツサーバシステム２０Ｂは、ホームコンテンツサーバシステム２０Ａと同じ構成であるため、ここでは説明を省略する。
【００２１】
コンテンツサーバ２１Ａ、２１Ｂは、各利用者の自宅・オフィス等に置かれ、デジタルコンテンツは、このコンテンツサーバ２１Ａ、２１Ｂ内に保存されている。コンテンツサーバ２１Ａとコンテンツサーバ２１Ｂは、例えばピア・ツー・ピア通信（Ｐ２Ｐ）のように、両者間でコンテンツの共有処理を行う際にコンピュータ同士を直接接続してお互いの持つ情報をやり取りする通信形式によりネットワークを接続する機能を持ち、コンテンツサーバ２１Ａとコンテンツサーバ２１Ｂ間でＰ２Ｐファイル共有ネットワークを構成する。ここで、携帯電話（第１の携帯端末）３０Ａは、コンテンツサーバ２１Ａと連携し、携帯電話（第２の携帯端末）３０Ｂは、コンテンツサーバ２１Ｂと連携しているものとする。すなわち、携帯電話３０Ａの保持者のコンテンツは、コンテンツサーバ２１Ａに格納され、携帯電話３０Ｂの保持者のコンテンツは、コンテンツサーバ２１Ｂに格納される。
【００２２】
図２は、本発明の実施形態に係るデジタルコンテンツ共有システム１０のコンテンツサーバ２１Ａと携帯電話３０Ａの機能ブロック図である。図２に示すように、コンテンツサーバ２１Ａは、コンテンツ保存手段２１１、コンテンツ一覧提供手段２１２およびコンテンツ公開手段２１３を有する。コンテンツ保存手段２１１は、利用者が所有するデジタルコンテンツを保持する。このコンテンツ保持手段２１１は、個人的にキャプチャしたデジタル写真、デジタル映像、デジタル音楽、電子文書等のさまざまな私有デジタルコンテンツを保持している。なお、これらのデジタルコンテンツは、ホームネットワーク（ＬＡＮ）に接続された各種機器から自動的ダウンロードされる構成も考えられるが、ここでは、コンテンツサーバ２１Ａが保持する構成で説明する。
【００２３】
コンテンツ一覧提供手段２１２は、利用者による携帯電話３０からの指示に応じて所有コンテンツの一覧を提供する。コンテンツ公開手段２１３は、他の利用者に提供したコンテンツをインターネット上に公開する。ここで、コンテンツは、提供先との間で交換された暗号鍵（共通鍵）によって暗号化される。
【００２４】
携帯電話３０は、コンテンツ一覧取得手段３１、コンテンツ指定送信手段３２および外部コンテンツ受信手段３３を有する。コンテンツ一覧取得手段３１は、携帯電話３０上から、コンテンツサーバ２１Ａ上のコンテンツ一覧提供手段２１２に対して問い合わせを行い、カレントの所有コンテンツ一覧を取得する。コンテンツ指定送信手段３２は、送信側として通話相手に対して送信するコンテンツを、上記で取得した所有コンテンツ一覧の中から選択し、通話の際に当該提供するコンテンツに関する情報（格納先、復号鍵）を送信する。
【００２５】
この復号鍵を含むコンテンツに関する情報は、コンテンツサーバ２１Ａ、携帯電話３０Ａ、携帯電話３０Ｂを介してコンテンツサーバ２１Ｂに送られる。コンテンツサーバ２１Ｂは、復号鍵を暗号化されたコンテンツを復号するときに用いる。外部コンテンツ受信手段３３は、受信側として、通話相手から送られてきたコンテンツに関する情報を受信する。
【００２６】
図３および図４は、デジタルコンテンツ共有システム１０で用いるデータのデータ構造を説明するための図である。図５はデジタルコンテンツ共有システム１０のイベントフローである。利用者の携帯電話３０とコンテンツサーバ２１は、インターネットを経由して、一定時間置きに通信を行う。携帯電話３０Ａは、コンテンツサーバ２１Ａ内に蓄積されているデジタルコンテンツに関する参照情報の一覧（私有デジタルコンテンツ一覧）要求をコンテンツサーバ２１Ａに送信する（Ｔ１１）。コンテンツサーバ２１Ａは、携帯電話３０Ａを所有する所有者のコンテンツを記憶するコンテンツ保存手段２１１に記憶されたコンテンツを参照してコンテンツ一覧を携帯電話３０Ａに送信する。そして、携帯電話３０Ａは、コンテンツサーバ２１Ａが保持する受信コンテンツ集合と情報を同期して保持する。
【００２７】
携帯電話３０Ａは、コンテンツサーバ２１Ａから私有コンテンツ一覧をダウンロードし受信し（Ｔ１２）、私有コンテンツ一覧を表示する。なお、携帯電話３０Ａとコンテンツサーバ２１Ａとの間は、認証局を通じたデジタル認証による通信をおこない、利用者の携帯電話３０以外からの私有デジタルコンテンツ一覧に関するアクセス要求を受け付けない。
【００２８】
図９（ａ）は私有コンテンツ一覧（私有ファイル一覧）を表示時の携帯電話のＧＵＩ、同図（ｂ）はコンテンツの詳細（ファイル詳細）を表示時の携帯電話のＧＵＩをそれぞれ示す図である。図１０（ａ）は電話帳を表示時の携帯電話のＧＵＩ、同図（ｂ）は私有デジタルコンテンツ一覧の中から通信相手に送信するコンテンツを選択する際の携帯電話のＧＵＩ、同図（ｃ）は呼び出し時の携帯電話のＧＵＩをそれぞれ示す図である。利用者が携帯電話３０を用いて電話をかける際、通話相手とのデジタルコンテンツの交換用に使用する暗号鍵と復号鍵を生成する。また、電話が着信した際にも、通話相手とのデジタルコンテンツ交換に使用する暗号鍵と復号鍵を生成する。
【００２９】
一方、利用者が携帯電話３０をかける際、携帯電話３０上の電話帳から通話相手を選択した後、既に取得している私有デジタルコンテンツ一覧の中から通話相手に提供するコンテンツを指定して電話をかける（Ｔ１３）。またもしくは、通話中に、携帯電話３０上で私有デジタルコンテンツ一覧の中から通話相手に送信するコンテンツを選択する。ここでコンテンツは複数選択が可能である。すると、携帯電話３０Ａは、当該選択されたデジタルコンテンツに関するコンテンツ情報（ファイル名、当該送信者のコンテンツサーバ２１のアドレス、上述した復号鍵）の集合が通話相手である携帯電話３０Ｂに送信される（Ｔ１４）。このようにして、携帯電話を用いて通話の際に、話者間でデジタルコンテンツのリファレンスが交換される。
【００３０】
図１１は、コンテンツ情報を受信した受信側の携帯電話３０ＢのＧＵＩを示す図である。上記コンテンツ情報の集合を受信した携帯電話３０Ｂは、それらを一時的に保存する。そして、通話終了時に、それらのコンテンツ情報をコンテンツサーバ２１Ｂ上に保存するか否かを選択する。ここで保存することを選択した場合には、当該受信したデジタルコンテンツに関する情報が、当該利用者のコンテンツサーバ２１Ｂの外部コンテンツ集合に追加・保存される。
【００３１】
次に、外部コンテンツの取得と再生について説明する。携帯電話３０を用いて過去に入手したデジタルコンテンツは、利用者の自宅に設置されたテレビ等の表示装置を用いて再生することができる。これらの表示装置上で、コンテンツサーバ２１内に保存された外部デジタルコンテンツ一覧を表示し、その中から利用者が再生するデジタルコンテンツを選択する（Ｔ１５）。すると、当該外部デジタルコンテンツに対応付けて保存されている、接続先のホームサーバアドレスに接続がおこなわれる。そして、コンテンツの取得要求が発行され（Ｔ１６）、暗号化されたデジタルコンテンツが送信される（Ｔ１７）。
【００３２】
コンテンツの取得要求を受けたコンテンツサーバ２１Ａでは、送信要求を出したコンテンツサーバ２１Ｂが、通話の際に記録されている通信相手であることを確認した後、通話の際に生成した暗号鍵によって暗号化をおこない、コンテンツを通話相手に送信する。上記暗号化されて送信されてくるデジタルコンテンツを、当該、外部デジタルコンテンツに対応付けて保存されていた復号鍵を用いて復号して再生する（Ｔ１８）。
【００３３】
図６（ａ）は、携帯電話３０におけるコンテンツ一覧を取得時の処理フローチャートである。携帯電話３０Ａは、コンテンツサーバ２１Ａに対して、私有コンテンツ一覧要求を送信して返信を待つ（ステップＳ１１）。携帯電話３０Ａは、私有コンテンツ一覧を受信した場合（ステップＳ１２）、私有コンテンツ一覧を保存する（ステップＳ１３）。
【００３４】
図６（ｂ）は、コンテンツサーバ２１におけるコンテンツ一覧を取得時の処理フローチャートである。コンテンツサーバ２１Ａは、携帯電話３０Ａからの私有コンテンツ一覧要求を待つ（ステップＳ２１）。コンテンツサーバ２１Ａは、私有コンテンツ一覧要求を受信した場合（ステップＳ２２）、私有コンテンツ一覧を返信する（ステップＳ２３）。
【００３５】
図７（ａ）は送信側の携帯電話３０Ａにおけるデジタルコンテンツ交換時の処理フローチャートである。携帯電話３０Ａは、私有コンテンツ一覧中から送信先に対応付けてデジタルコンテンツを指定する（ステップＳ３１）。携帯電話３０Ａは、上記送信先に電話をかけて通話すると同時に、上記指定したデジタルコンテンツ情報の格納先を通話相手に渡す（ステップＳ３２）。
【００３６】
図７（ｂ）は受信側の携帯電話３０Ｂにおけるデジタルコンテンツ交換時の処理フローチャートである。携帯電話３０Ｂは、通話相手である携帯電話３０Ａから、デジタルコンテンツ情報の格納先を受信し、携帯電話３０Ａとの通話の際にコンテンツ参照情報を交換する（ステップＳ４１）。携帯電話３０Ｂは、交換したコンテンツ参照情報に基づいて、コンテンツサーバ２１Ｂに対してコンテンツ更新要求（コンテンツ要求）を行い、入手コンテンツ一覧の更新要求を自己のコンテンツサーバ２１Ｂに依頼する（ステップＳ４２）。
【００３７】
図７（ｃ）はコンテンツサーバ２１Ｂにおけるデジタルコンテンツ交換時の処理フローチャートである。コンテンツサーバ２１Ｂは、携帯電話３０Ｂから入手コンテンツの更新要求の受信を待つ（ステップＳ５１）。コンテンツサーバ２１Ｂは、携帯電話３０Ｂが携帯電話３０Ａとの通話の際に交換したコンテンツ参照情報を利用して該当するコンテンツ更新要求を受け付けた際に（ステップＳ５２）、入手コンテンツ集合を更新する（ステップＳ５３）。
【００３８】
図８（ａ）は、コンテンツサーバ２１における外部デジタルコンテンツの取得時の処理フローチャートである。コンテンツサーバ２１Ａは、携帯電話３０Ａと携帯電話３０Ｂが通話の際に生成した暗号鍵によって共有するコンテンツを暗号化してネットワーク上で公開する。このとき、コンテンツサーバ２１Ａは、ファイアウォールを越えてコンテンツをネットワーク上に公開する。コンテンツサーバ２１Ｂは、コンテンツの再生にあたり、携帯電話３０Ｂ経由で入手した外部コンテンツを指定する（ステップＳ６１）。コンテンツサーバ２１Ｂは、コンテンツ更新要求に基づいて指定された外部コンテンツを保存しているコンテンツサーバ２１Ａに対してコンテンツ更新要求に対応するコンテンツ取得依頼をして、コンテンツの受信を待つ（ステップＳ６２）。コンテンツサーバ２１Ｂは、コンテンツを受信した場合（ステップＳ６３）、受信したコンテンツを再生する（ステップＳ６４）。
【００３９】
図８（ｂ）は、コンテンツサーバ２１における外部デジタルコンテンツの再生時の処理フローチャートである。コンテンツサーバ２１Ａは、コンテンツを送信した相手からのコンテンツ提供依頼を待つ（ステップＳ７１）。コンテンツサーバ２１Ａは、コンテンツ提供依頼を受信した場合（ステップＳ７２）、提供依頼を受けたコンテンツを送信する（ステップＳ７３）。そして、コンテンツサーバ２１Ｂは、このコンテンツ更新要求に基づいてコンテンツサーバ２１Ａから対応するコンテンツの提供を受けてコンテンツサーバ２１Ａとの間でコンテンツを共有する。このようにして、デジタルコンテンツへの参照を受信した利用者は、送信者がインターネットを通じてコンテンツサーバ２１Ａ上で公開している暗号化されたデジタルコンテンツを直接ダウンロードすることによって視聴することができる。
【００４０】
取得したデジタルコンテンツは、通話の際に生成された復号鍵によってのみ復号される。また、コンテンツサーバ２１Ａは、通話相手である携帯電話３０Ｂのコンテンツサーバ２１Ｂからの要求に対してのみデータを提供する。このため、第三者によるネットワーク経由でのダウンロードは難しいだけでなく、仮になりすましによってダウンロードされたとしても、復号鍵を持たない当事者以外はその内容を再生することはできない。
【００４１】
上記デジタルコンテンツ共有システムによれば、携帯電話による通話の際に、話者間で携帯電話を用いて、自分が自宅のコンテンツサーバに所有するデジタルコンテンツをオンデマンドで交換することを可能にすることができ、利用者は、ＰＣ等のコンピュータを用いることなく、出先等で電話相手と話題になったデジタルコンテンツをその場で交換することができる。
【００４２】
なお、本発明によるコンテンツ共有方法はデジタルコンテンツ共有システム１０によって実現される。上記コンテンツサーバ２１Ａ、２１Ｂと携帯電話３０Ａ〜３０Ｂは、例えば、ＣＰＵ（Central Processing Unit）、ＲＯＭ(Read Only Memory)、ＲＡＭ(Random Access Memory)等を用いて構成される。ＣＰＵが所定のプログラムを実行することによりコンテンツ共有方法の各ステップやコンテンツサーバ２１Ａ、２１Ｂの機能、携帯電話３０の各機能が実現される。また、上記実施形態では、ネットワーク上に公開するコンテンツを変換する形式として暗号鍵を用いた暗号化の例について説明したが、本発明ではこれに限定されることなくワンタイムパスワードを用いて所定の形式に変換し、この変換したコンテンツをワンタイムパスワードを用いて認証し閲覧できるようにしてもよい。
【００４３】
以上本発明の好ましい実施例について詳述したが、本発明は係る特定の実施例に限定されるものではなく、特許請求の範囲に記載された本発明の要旨の範囲内において、種々の変形、変更が可能である。
【図面の簡単な説明】
【００４４】
【図１】本発明の実施形態に係るデジタルコンテンツ共有システムのハードウェア構成図である。
【図２】本発明の実施形態に係るデジタルコンテンツ共有システムのコンテンツサーバと携帯電話の機能ブロック図である。
【図３】デジタルコンテンツ共有システム１０で用いるデータのデータ構造を説明するための図である。
【図４】デジタルコンテンツ共有システム１０で用いるデータのデータ構造を説明するための図である。
【図５】デジタルコンテンツ共有システム１０のイベントフローである。
【図６】（ａ）は携帯電話におけるコンテンツ一覧を取得時の処理フローチャート、（ｂ）はコンテンツサーバにおけるコンテンツ一覧を取得時の処理フローチャートである。
【図７】（ａ）は送信側の携帯電話におけるデジタルコンテンツ交換時の処理フローチャート、（ｂ）は受信側の携帯電話３０Ｂにおけるデジタルコンテンツ交換時の処理フローチャート、（ｃ）はコンテンツサーバ２１Ｂにおけるデジタルコンテンツ交換時の処理フローチャートである。
【図８】（ａ）は、コンテンツサーバにおける外部デジタルコンテンツの取得時の処理フローチャート、（ｂ）は、コンテンツサーバにおける外部デジタルコンテンツの再生時の処理フローチャートである。
【図９】（ａ）は私有コンテンツ一覧を表示時の携帯電話のＧＵＩ、（ｂ）はコンテンツの詳細を表示時の携帯電話のＧＵＩをそれぞれ示す図である。
【図１０】（ａ）は電話帳を表示時の携帯電話のＧＵＩ、（ｂ）は私有デジタルコンテンツ一覧の中から通信相手に送信するコンテンツを選択する際の携帯電話のＧＵＩ、（ｃ）は呼び出し時の携帯電話のＧＵＩをそれぞれ示す図である。
【図１１】コンテンツ情報を受信した受信側の携帯電話のＧＵＩを示す図である。
【符号の説明】
【００４５】
１０  デジタルコンテンツ共有システム
２０Ａ、２０Ｂ  ホームコンテンツサーバシステム
２１Ａ、２１Ｂ  コンテンツサーバ
２１１  コンテンツ保存手段
２１２  コンテンツ一覧提供手段
２１３  コンテンツ公開手段
３０Ａ〜３０Ｄ  携帯電話
３１  コンテンツ一覧取得手段
３２  コンテンツ指定送信手段
３３  外部コンテンツ受信手段
【図１】
2008158843.tif 000003
【図２】
2008158843.tif 000004
【図３】
2008158843.tif 000005
【図４】
2008158843.tif 000006
【図５】
2008158843.tif 000007
【図６】
2008158843.tif 000008
【図７】
2008158843.tif 000009
【図８】
2008158843.tif 000010
【図９】
2008158843.tif 000011
【図１０】
2008158843.tif 000012
【図１１】
2008158843.tif 000013